(57)【特許請求の範囲】
【請求項１】
飲料ボトル用の有天円筒状のキャップが装填される装填部が形成された玩具本体と、
前記装填部に装填された前記キャップを発射方向に向けて押し出す押出し部材と、
両開き構造の一対の弾き片を有し、前記一対の弾き片は、常態では、前記装填部の発射方向前方に突出して前記キャップの発射方向前方への移動を阻止し、前記押出し部材により前記キャップが押し出されたときに前記キャップの発射方向前半部の外周に摺接しながら開放され、前記キャップの発射方向後半部の外周へは戻り力によって摺接して前記キャップを弾いて発射させる発射装置と、
前記キャップの外周同士が接触されるように前記キャップを配列可能で前記装填部に１つずつ前記キャップを供給可能なマガジンと、
を備え、
前記装填部の床面は、装填された前記キャップの天板が上又は下を向くように水平面となっており、前記玩具本体の前記装填部の発射方向後方には、発射方向前方に向けて下り勾配を有する傾斜壁が形成され、前記キャップが前記装填部の後方斜め上方から前記傾斜壁に摺接されながら前記装填部に供給されるように構成され、前記押出し部材は、発射方向で往復動作可能で、当該往復動作によって先端部が前記傾斜壁から出没するように構成されている、
ことを特徴とするキャップ発射玩具。
【請求項２】
前記マガジンは、前記玩具本体の前記装填部に対して後方斜め上方に向けて延在し、前記キャップの中心軸が前記装填部の中心を含む１つの鉛直面を辿るようにして前記キャップを前記装填部に供給する、ことを特徴とする請求項１に記載のキャップ発射玩具。
【請求項３】
前記マガジンは上端にキャップ投入口を有し、前記キャップ投入口には、前記キャップの天板が前又は後ろを向く状態で投入されるように構成され、前記マガジン内の通路は、前記キャップが投入された状態から徐々に前記天板が水平状態に向かうように湾曲されていることを特徴とする請求項２に記載のキャップ発射玩具。
【請求項４】
前記キャップと同じ大きさ及び形の基体を有し且つ前記基体に下面の中心から下方に突出して接地によってギミックを作動させる凸部が設けられた発射体をも発射できるキャップ発射玩具であって、前記装填部から前記凸部を下にして発射し得るように、前記マガジン、前記傾斜壁及び前記装填部に、前記凸部を受容する溝が形成されていることを特徴とする請求項２又は請求項３に記載のキャップ発射玩具。
【請求項５】
前記傾斜壁には、前記キャップと同じ曲率で前記装填部の後部を区画する切欠き部が形成され、前記押出し部材の先端部は前記傾斜壁及び前記切欠き部から出没するように構成され、前記押出し部材の先端は、前記押出し部材が前記傾斜壁及び前記切欠き部に没したときに前記傾斜壁及び前記切欠き部と面一となるように形成されていることを特徴とする請求項２〜請求項４のいずれか一項に記載のキャップ発射玩具。
【発明の詳細な説明】
【技術分野】
【０００１】
本発明は、キャップ発射玩具に関する。
【背景技術】
【０００２】
従来、装填部に複数の円板を積層しておき、押し出し部材で最下端の円板を押し出すことで発射させる発射玩具が知られている（例えば、特許文献１参照）。
この発射玩具によれば、最下端の円板を発射させると、その上に積層されていた円板が順に装填部に装填されることから、連射が可能となる。
【先行技術文献】
【特許文献】
【０００３】
【特許文献１】実用新案登録第３１４０４６４号公報
【発明の概要】
【発明が解決しようとする課題】
【０００４】
ところで、このような発射装置を用いて、飲料ボトル用の有天円筒状のキャップを発射させようとすると、次のような問題がある。
キャップの場合、下端が開放され凹部となっているため、装填部に複数のキャップを積層しようとすると、キャップが斜めになったりして、上下で隣接するキャップ同士が嵌まり合って詰まってしまい、キャップを発射できないという問題が生じる虞がある。
本発明は、かかる点に鑑みなされたもので、キャップの詰まりが生じにくいキャップ発射玩具を提供することを目的としている。
【課題を解決するための手段】
【０００５】
第１の手段は、
飲料ボトル用の有天円筒状のキャップが装填される装填部が形成された玩具本体と、
前記装填部に装填された前記キャップを発射方向に向けて押し出す押出し部材と、
両開き構造の一対の弾き片を有し、前記一対の弾き片は、常態では、前記装填部の発射方向前方に突出して前記キャップの発射方向前方への移動を阻止し、前記押出し部材により前記キャップが押し出されたときに前記キャップの発射方向前半部の外周に摺接しながら開放され、前記キャップの発射方向後半部の外周へは戻り力によって摺接して前記キャップを弾いて発射させる発射装置と、
前記キャップの外周同士が接触されるように前記キャップを配列可能で前記装填部に１つずつ前記キャップを供給可能なマガジンと、
を備え、
前記装填部の床面は、装填された前記キャップの天板が上又は下を向くように水平面となっており、前記玩具本体の前記装填部の発射方向後方には、発射方向前方に向けて下り勾配を有する傾斜壁が形成され、前記キャップが前記装填部の後方斜め上方から前記傾斜壁に摺接されながら前記装填部に供給されるように構成され、前記押出し部材は、発射方向で往復動作可能で、当該往復動作によって先端部が前記傾斜壁から出没するように構成されている、
ことを特徴とする。
【０００６】
第２の手段は、第１の手段であって、前記マガジンは、前記玩具本体の前記装填部に対して後方斜め上方に向けて延在し、前記キャップの中心軸が前記装填部の中心を含む１つの鉛直面を辿るようにして前記キャップを前記装填部に供給することを特徴とする。
【０００７】
第３の手段は、第２の手段であって、前記マガジンは上端にキャップ投入口を有し、前記キャップ投入口には、前記キャップの天板が前又は後ろを向く状態で投入されるように構成され、前記マガジン内の通路は、前記キャップが投入された状態から徐々に前記天板が水平状態に向かうように湾曲されていることを特徴とする。
【０００８】
第４の手段は、第２の手段又は第３の手段であって、前記キャップと同じ大きさ及び形の基体を有し且つ前記基体に下面の中心から下方に突出して接地によってギミックを作動させる凸部が設けられた発射体をも発射できるキャップ発射玩具であって、前記装填部から前記凸部を下にして発射し得るように、前記マガジン、前記傾斜壁及び前記装填部に、前記凸部を受容する溝が形成されていることを特徴とする。
【０００９】
第５の手段は、第２の手段〜第４の手段のいずれかであって、前記傾斜壁には、前記キャップと同じ曲率で前記装填部の後部を区画する切欠き部が形成され、前記押出し部材の先端部は前記傾斜壁及び前記切欠き部から出没するように構成され、前記押出し部材の先端は、前記押出し部材が前記傾斜壁及び前記切欠き部に没したときに前記傾斜壁及び前記切欠き部と面一となるように形成されていることを特徴とする。
【発明の効果】
【００１０】
第１の手段によれば、マガジンでキャップの外周同士が接触されるようにキャップを配列し装填部に１つずつキャップを供給するので、隣接するキャップ同士が嵌まり合うことが防止され、マガジン内でキャップが詰まることが防止される。また、傾斜壁を設けているため、床面が水平な装填部にマガジンからのキャップが円滑に装填される。
【００１２】
第３の手段によれば、キャップ投入口から投入されたキャップの天板が前又は後ろを向く状態から徐々に上又は下を向く状態に向かうようにマガジンが湾曲しているので、床面が水平な装填部にマガジンからのキャップが円滑に装填される。
【００１３】
第４の手段によれば、マガジンには溝が形成されているため、キャップと同じ大きさ及び形の基体を有し下面に凸部を有する発射体をも飛ばすことができる。この場合の発射体は凸部が接地したときに作動するギミックを有するので、遊びの幅が拡がることになる。
【００１４】
第５の手段によれば、装填部の後部が傾斜壁に形成された切欠き部で区画され、押出し部材の先端は、押出し部材が傾斜壁及び前記切欠き部に没したときに傾斜壁及び切欠き部と面一となっているので、操作性に優れたキャップ発射玩具が実現できる。
【図面の簡単な説明】
【００１５】
【図１】実施形態のキャップ発射玩具を前方側から見た斜視図である。
【図２】マガジンを取り除いた状態のキャップ発射玩具を後方側から見た斜視図である。
【図３】上部構造部品を取り除いた状態のキャップ発射玩具を側方側から見た斜視図である。
【図４】キャップの発射の過程を説明するための平面図である。
【図５】マガジンを斜め前方側から見た斜視図である。
【図６】マガジン及び装填部を示した側面断面図である。
【図７】発射体を下方側から見た斜視図である。
【図８】発射体を分解した状態を下方側から見た斜視図である。
【図９】他の発射体を下方側から見た斜視図である。
【図１０】他の発射体を分解した状態を上方側から見た斜視図である。
【図１１】他の発射体の動作状態を上方側から見た斜視図である。
【発明を実施するための形態】
【００１６】
（全体構成）
図１は、キャップ発射玩具１００の前方側から見た斜視図、図２は、マガジン１６を取り除いた状態のキャップ発射玩具１００を後方側から見た斜視図である。
キャップ発射玩具１００の玩具本体１０は人型ロボットの姿態を有している。すなわち、玩具本体１０は、脚部１１、胴部１２、左右の手部１３、１３及び頭部１４を備えている。そして、胴部１２の後ろには押出し部材１５とマガジン１６とが設けられている。また、左右の手部１３、１３にはそれぞれソード１７が1本ずつ握られ、左右のソード１７、１７の刃部分１７ａ、１７ａは所定の間隔で互いに平行に前方に延びている。
このキャップ発射玩具１００では、マガジン１６のキャップ投入口１６ａからキャップ５０を投入し、押出し部材１５を前方に操作すると、胴部１２の前側の一部が開き、中からキャップ５０が前方に勢いよく発射される。この場合のキャップ５０としては、例えば、飲料ボトル用の有天円筒状のキャップが使用される。
【００１７】
（細部構成）
１．玩具本体１０
玩具本体１０は、鎧及び兜を装着した人型ロボットの姿態をなしている。玩具本体１０の頭部には、上記キャップ５０と同じ大きさ及び形状の有天円筒状のキャップ５０Ａが螺合して設けられている。このキャップ５０Ａを用いて上記キャップ５０と同様にして遊ぶこともできる。
【００１８】
玩具本体１０の胴部１２には、左右の手部１３、１３が設けられている。各手部１３にはそれぞれソード１７が握られ、刃部分１７ａは前方に水平に延びている。また、各ソード１７の柄部分１７ｂは刃部分１７ａに対して後ろ下方に向けて屈曲されている。
【００１９】
図３は、上部構造部品、つまり胴部１２の上側部分、左右の手部１３，１３、頭部１４、マガジン１６及び左右のソード１７，１７を取り除いた状態を示したキャップ発射玩具１００の側方側から見た斜視図である。
玩具本体１０の胴部１２の背中には開口１２ａが設けられており、胴部１２には、開口１２ａから視認することができる位置にキャップ５０の装填部１２ｂが設けられている（図２）。装填部１２ｂは平面視で円形に形成されている。
【００２０】
装填部１２ｂの左右両脇には、外側に膨らんだ弓形の弾き片１２ｃが１つずつ設けられている。弾き片１２ｃは軸１２ｄを介して玩具本体１０に取り付けられており、基端部の突片１２ｅが玩具本体１０の孔（図示せず）に嵌合している。
左右の弾き片１２ｃ、１２ｃの先端部は、常態では、装填部１２ｂの前方に突出し、キャップ５０の前方への移動を規制する（図４（Ａ））。そして、左右の弾き片１２ｃ、１２ｃは、キャップ５０が押出し部材１５によって前方に押されると、キャップ５０の前半部の外周に当接した後摺接することにより、自身の弾性力に抗して開かれる（図４（Ｂ））。更にキャップ５０が前方に移動すると、左右の弾き片１２ｃ、１２ｃは、弾き片１２ｃとキャップ５０との当接部位がキャップ５０の前半部の外周から後半部の外周に切り替わり、自身の弾性力によって初期位置に戻される（図４（Ｃ））。このときの戻り力によってキャップ５０が弾かれ発射される。
【００２１】
玩具本体１０の装填部１２ｂの後ろには当該装填部１２ｂと一部が干渉するような形で傾斜壁１２ｆが設けられている。つまり、平面視で、傾斜壁１２ｆに装填部１２ｂの後部が食い込んだ形となっている。つまり、傾斜壁１２ｆにはキャップ５０と同じ曲率の切欠き部１２ｇが形成されている。この傾斜壁１２ｆの装填部１２ｂの床面からの高さはキャップ５０の高さと略同じ高さとなっていて、前方に向けて下り勾配を有している。そして、傾斜壁１２ｆの傾斜は後述のマガジン１６の排出口の傾斜と略同じとなっている。また、傾斜壁１２ｆ及び切欠き部１２ｊには、前後に貫通する貫通孔（図示せず）が形成されており、この貫通孔からは押出し部材１５の先端部が出没する。
【００２２】
装填部１２ｂの床面は水平面となっている。そして、装填部１２ｂには天板が上向きとなるようにキャップ５０が置かれる。そして、装填部１２ｂで天板が上向きにされたキャップ５０は傾斜壁１２ｆの切欠き部１２ｇと、左右の弾き片１２ｃ、１２ｃとの間の装填部１２ｂに置かれる。
【００２３】
また、装填部１２ｂの床面には幅方向中央に前後方向に延び装填部１２ｂの前端にまで達する溝１２ｈが形成されている。また、傾斜壁１２ｆの幅方向中央と、押出し部材１５の先端部の幅方向中央にも、傾斜方向に沿って溝１２ｉが形成されている。溝１２ｈ、１２ｉの技術的意義については後述する。
【００２４】
２．押出し部材１５
押出し部材１５は胴部１２の腰部から後方に突出して設けられている。押出し部材１５の後端には、発射の際に操作する指当て部１５ａが設けられている。一方、押出し部材１５の先端は、押出し部材１５が後方に動作して貫通孔（図示せず）から没したときに傾斜壁１２ｆ及び切欠き部１２ｇと面一となるように形成されている。
押出し部材１５は、前後方向に動作可能に構成され、コイルばね１５ｂによって後方に向けて付勢されている。そして、押出し部材１５は、指当て部１５ａに指を当てて押出し部材１５を前方に動作させた後に指を離すと、コイルばね１５ｂの付勢力によって後方に動作して元位置、つまり、押出し部材１５の先端部が傾斜壁１２ｆ及び切欠き部１２ｇと面一となる位置に復帰する。
【００２５】
３．マガジン１６
図５は、マガジン１６を前方側から見た斜視図である。
マガジン１６は玩具本体１０に着脱可能に構成されている。マガジン１６は、玩具本体１０に取り付けられた状態では、後部上方に向けて延在している（図１）。マガジン１６の上端には矩形のキャップ投入口１６ａが形成され、内部には当該キャップ投入口１６ａに連通されて投入されたキャップ５０を装填部１２ｂに導く通路１６ｂが形成されている。そして、キャップ投入口１６ａへのキャップ５０の投入は、キャップ５０の天板が前方を向くようにして行う。マガジン１６に投入されたキャップ５０は、図６に示すように、マガジン１６内で少しずつ後方に倒れながら、つまり、キャップ５０の天板が上向きに近付くようにして装填部１２ｂに供給される。そして、キャップ５０の先が玩具本体１０内に入ると、当該一部は傾斜壁１２ｆに摺接し、キャップ５０は天板が上向き状態となって装填部１２ｂに装填される。
なお、マガジン１６のキャップ投入口１６ａ及び通路１６ｂの床面には幅方向中央に溝１６ｃが形成されている。
【００２６】
４．発射体
（１）発射体６０
図７は、発射体６０を下方側から見た斜視図、図８は、分解した状態の発射体６０を下方側から見た斜視図である。
発射体６０は、キャップ５０と同じ大きさ及び形状の有天円筒状の基体６１を有し、基体６１の下面中央には球状車輪（凸部）６２が設けられている。すなわち、基体６１には、中央に円形の孔６３ａが形成され基体６１の下端開口を閉塞し球状車輪６２を支持する円板状の底板６３が螺合されている。
【００２７】
この発射体６０は、マガジン１６に投入される際には球状車輪６２がマガジン１６の溝１６ｃに入るようにして投入される。また、球状車輪６２は、傾斜壁１２ｆの箇所では溝１２ｉに入り、装填部１２ｂでは溝１２ｈに入る。そして、この発射体６０が発射されると、球状車輪６２が接地され、球状車輪６２によって発射体６０が床面を走行する。
【００２８】
（２）発射体７０
図９は、他の発射体７０を下方側から見た斜視図、図１０は、分解した状態の発射体７０を上方側から見た斜視図、図１１は、発射体７０の動作状態を上方側から見た斜視図である。
発射体７０は、円板状の上板７１及び下板７５と、上板７１と下板７５と間に挟持された３枚の羽根７２との３層構造となっている。そして、この基体はキャップ５０と同じ大きさ及び形に形成され、下板７５の下面中央からはロッド（凸部）７３の先端部が突出して設けられている。
各羽根７２は、外側が膨らむように弓形に形成され、基端部の軸孔７２ａが上板７１に付設された軸（図示せず）に嵌合し、当該軸を中心に回動可能となるように構成されている。また、各羽根７２は、図示しないねじれコイルばねによって先端が上板７１及び下板７５の外周から突出する方向に付勢されている。また、羽根７２の先端部上面には爪孔７２ｂが形成されている。
【００２９】
ロッド７３の上端部は下板７５を貫通して羽根７２の上まで延びている。そして、ロッド７３の上端には、半径方向外方に向けて延びる係止部材７３ａが円周方向に等間隔に３つ一体的に設けられている。係止部材７３ａの先端には爪７３ｂが下向きに形成されている。また、ロッド７３の上端には孔７３ｃが設けられ、この孔７３ｃにはロッド７３を上板７１に対して下方に向けて付勢するコイルばね（図示せず）が挿入されている。そして、羽根７２は、常態では、上板７１及び下板７５から没した位置にあり（図９）、爪孔７２ｂに爪７３ｂが嵌まり込むことで係止され、ロッド７３が下板７５に対して没する方向に押されると、爪孔７２ｂから爪７３ｂが外れて上板７１及び下板７５の外周から外に張り出す（図１１）。
【００３０】
この発射体７０は、羽根７２が上板７１及び下板７５の外周から没した状態（常態）でマガジン１６に投入される際にはロッド７３がマガジン１６の溝１６ｃに入るようにして投入される。また、ロッド７３は、傾斜壁１２ｆの箇所では溝１２ｉに入り、装填部１２ｂでは溝１２ｈに入る。そして、この発射体６０が発射されると、ロッド７３が接地されることにより、爪７３ｂが爪孔７２ｂから外れて羽根７２が上板７１及び下板７５から張り出す。
【００３１】
以上、本発明の実施形態について説明したが、本発明は、かかる実施形態に限定されず、種々の変形が可能であることは言うまでもない。
【００３２】
例えば、上記実施形態では、キャップ５０の天板を上向きにして装填部１２ｂに装填するようにしたが、キャップ５０の天板を下向きにして装填部１２ｂに装填してもよい。また、キャップ５０の天板を横向きにして装填部１２ｂに装填してもよい。この場合には、マガジン１６内の通路１６ｂは、キャップ５０が外周で転動するかマガジン１６の床面に摺接しながら移動するように構成することが好ましい。また、一対の弾き片１２ｃ、１２ｂは装填部１２ｂの上下に設けることが必要である。
【００３３】
また、マガジン１６内の通路１６ｂは、横向きのキャップ５０が外周で転動するかマガジン１６の床面に摺接しながら移動するように構成し、装填部１２ｂに装填される直前にキャップ５０の天板又は底を傾斜する壁に突き当てて天板が水平状態つまり天板が上向き又は下向きとなるようにしてもよい。
【符号の説明】
【００３４】
１０    玩具本体
１２ｃ    弾き片
１２ｆ    傾斜壁
１２ｇ    切欠き部
１２ｈ    溝
１２ｉ    溝
１５    押出し部材
１６    マガジン
１６ａ    キャップ投入口
１６ｂ    通路
１６ｃ    溝
５０    キャップ
５０Ａ    キャップ
６０    発射体
６２    球状車輪（凸部）
７０    発射体
７２    羽根
７３    ロッド（凸部）
１００ キャップ発射玩具
【要約】      （修正有）【課題】キャップの詰まりが生じにくいキャップ発射玩具を提供すること。【解決手段】キャップ５０が装填される装填部１２ｂが形成された玩具本体と、キャップ５０を発射方向に向けて押し出す押出し部材１５と、両開き構造の一対の弾き片を有し、一対の弾き片は、常態では、キャップ５０の発射方向前方への移動を阻止し、押出し部材１５によりキャップ５０が押し出されたときにキャップ５０の前半部の外周に摺接しながら開放され、キャップ５０の後半部の外周へは戻り力によって摺接してキャップ５０を弾いて発射させる発射装置と、キャップ５０の外周同士が接触されるようにキャップ５０を配列可能で装填部１２ｂに１つずつキャップ５０を供給可能なマガジン１６と、を備える。【選択図】図６【図１】
0006846553.tif 000002
【図２】
0006846553.tif 000003
【図３】
0006846553.tif 000004
【図４】
0006846553.tif 000005
【図５】
0006846553.tif 000006
【図６】
0006846553.tif 000007
【図７】
0006846553.tif 000008
【図８】
0006846553.tif 000009
【図９】
0006846553.tif 000010
【図１０】
0006846553.tif 000011
【図１１】
0006846553.tif 000012